(57)【要約】【課題】ボードとボードとを簡単に結合することのできるボード結合金具および、この結合金具を用いて複数のボードから形成された箱体を提供する。【解決手段】ボード６の端部を嵌入する断面略コ字型のボード嵌入溝部１と、このボード嵌入溝部１に連設された断面略Ｌ字型の固定部２とからなる結合金具であって、上記固定部２のＬ字を構成する２つの固定片２１、２２にはそれぞれ固定用ビス孔３、４が設けられたボード結合金具Ａ、およびこのボード結合金具Ａを用いて複数のボード６を結合して形成された箱体Ｂ。好ましくは、上記ボード嵌入溝部１を形成するボード６の表面側側面の端部を内側に略直角に折り曲げてボード押圧片１１とされる。【選択図】図１
2006322144.tif 000002
【特許請求の範囲】
【請求項１】
ボードの端部を嵌入する断面略コ字型のボード嵌入溝部と、このボード嵌入溝部に連設された断面略Ｌ字型の固定部とからなる結合金具であって、上記固定部のＬ字を構成する２つの固定片にはそれぞれ固定用ビス孔が設けられたボード結合金具。
【請求項２】
上記ボード嵌入溝部を形成するボードの表面側側面の端部を略直角に内側に折り曲げてボード押圧片とした請求項１に記載のボード結合金具。
【請求項３】
上記ボード結合金具を対として用い、各固定部を並列に配設して躯体に固定しボードとボードとを並列に結合する請求項１に記載のボード結合金具。
【請求項４】
上記ボード結合金具を対として用い、各固定部を直角に配設して躯体に固定しボードとボードとを直角に結合する請求項１に記載のボード結合金具。
【請求項５】
請求項１に記載のボード結合金具を用いて複数のボードを結合して形成された箱体。
【発明の詳細な説明】
【技術分野】
【０００１】
本発明は、ボードとボードとを結合するための結合金具に関する。さらにそれを用いて複数のボードから形成された箱体に関する。
【背景技術】
【０００２】
従来、石膏ボード等、脆くてビス固定できないボードを箱体に組み上げる場合、木枠等の枠体に設けられた溝部にボードの端部を嵌め込みパネル化し、枠体どうしを組み付けて箱体とすることが行われている。一方、勾配天井の内面への石膏ボードの取り付け施工を外観仕上げを良好に、かつ、簡便に実施できる天井用廻り縁が下記特許文献１に開示されている。
【特許文献１】実開平６−２０７３７号公報（第１〜２頁、第１図、第２図）
【発明の開示】
【発明が解決しようとする課題】
【０００３】
しかしながら、上記ボードをパネル化するにはボードの端部を枠体の溝部にしっかりと接着する必要があり、また、枠体どうしを組み付けて箱体に形成しなければならず、その加工が複雑となるという問題がある。本発明は上記した問題を解決するためになされたものであり、ボードとボードとを簡単に結合することのできるボード結合金具を提供するとともに、この結合金具を用いて複数のボードを作業性よく組み付け、強度の大きな箱体をコスト的に有利に提供することを、その課題とする。
【課題を解決するための手段】
【０００４】
上記課題を解決するために、本発明においては、つぎのような技術的手段を講じている。すなわち、本願第１発明によれば、ボードの端部を嵌入する断面略コ字型のボード嵌入溝部と、このボード嵌入溝部に連設された断面略Ｌ字型の固定部とからなる結合金具であって、この固定部のＬ字を構成する２つの固定片にはそれぞれ固定用ビス孔が設けられたボード結合金具が提供される。上記ボード嵌入溝部を形成するボードの表面側側面の端部を略直角に内側に折り曲げてボード押圧片とすることが好ましい。また、上記結合金具はアルミを一体成形したものが好ましく用いられる。
【０００５】
上記ボード結合金具を対として用い、各固定部を並列に配設して躯体に固定しボードとボードとを並列に結合することができる。また、上記ボード結合金具を対として用い、各固定部を直角に配設して躯体に固定しボードとボードとを直角に結合することができる。
【０００６】
さらに、本願第２発明によれば、本願第１発明に記載のボード結合金具を用いて複数のボードを結合して形成された箱体が提供される。
【発明の効果】
【０００７】
請求項１に記載の第１発明にかかるボード結合金具は上記のとおりであり、断面略コ字型のボード嵌入溝部と、このボード嵌入溝部に連設された断面略Ｌ字型の固定部とからなり、この固定部のＬ字を構成する２つの固定片にはそれぞれ固定用ビス孔が設けられているため、上記ボード嵌入溝部にボードの端部を嵌入するとともに、固定用ビスをこの固定用ビス孔を挿通して駆体に固定することによって、脆くてビス固定できないボードを簡単に駆体に取り付けることができる。
【０００８】
上記ボード嵌入溝部を形成するボードの表面側側面の端部を略直角に内側に折り曲げてボード押圧片とされているため、ボードの表面が金属の弾性力によってしっかりと押圧され、ボードがボード嵌入溝部から簡単に外れることを防ぐ。
【０００９】
上記ボード結合金具を対として用い、各固定部を並列に配設して躯体に固定することによりボードとボードとが並列に結合可能となるため、ボードを組み付けて箱体とする場合、壁面部を簡単に形成することができる。
【００１０】
上記ボード結合金具を対として用い、各固定部を直角に配設して躯体に固定することによりボードとボードとが直角に結合可能となるため、ボードを組み付けて箱体とする場合、コーナー部を簡単に形成することができる。
【００１１】
請求項５に記載の第２発明にかかる箱体は、請求項１に記載のボード結合金具を用いて複数のボードを結合して形成されるため、石膏ボード等脆くてビス固定できないボードを、簡単に、かつ、強度の大きな箱体に組み付けることができる。
【発明を実施するための最良の形態】
【００１２】
以下、本発明の実施形態について図面を参照して、詳細に説明する。図１は、第１発明にかかるボード結合金具Ａを示す斜視図である。ボード結合金具Ａは想像線で示すボード６として用いた石膏ボードの端部を嵌入する断面略コ字型のボード嵌入溝部１と、ボード嵌入溝部１に連設された断面略Ｌ字型の固定部２とからなっている。上記ボード嵌入溝部１を形成するボード６の表面側側面の端部は略直角に内側に折り曲げられてボード押圧片１１とされ、ボード６はその表面側をボード押圧片１１を構成する金属の弾性力によってしっかりと押圧される。また、固定部２は第１固定片２１と第２固定片２２とから構成され、第１固定片２１には第１固定用ビス孔３が、第２固定片２２には第２固定用ビス孔４が設けられている。
【００１３】
図２は上記ボード結合金具Ａを対として用い、各固定部２を並列に配設して、第１固定片２１に設けられた第１固定用ビス孔３に第１固定用ビス３１を挿通し、躯体５に固定した状態を示す一部断面斜視図である。ボード結合金具Ａを図２に示すようにして用いることによって、ボード６を相互に並列に結合することができる。
【００１４】
図３は上記ボード結合金具Ａ１とＡ２を対として用い各固定部２を直角に配設した状態を示す一部断面斜視図である。図３において、ボード結合金具Ａ１の第１固定片２１の第１固定用ビス孔３に第１固定用ビス３１を挿通して躯体５に固定するとともに、第２固定用ビス孔４と、ボード結合金具Ａ２の第１固定部２の第１固定用ビス孔３とを第２固定用ビス４１で連結することにより、ボード６を相互に直角に結合することができる。ボード結合金具Ａ１、Ａ２を図３に示すようにして用いることによって、ボード６を相互に直角に結合することができる。
【００１５】
上記した第１発明にかかるのボード結合金具Ａを単独で配設し、或は、一対のボード結合金具Ａの各固定部を並列に配設しあるいは各固定部を直角に配設することにより、複数のボード６を結合して第２発明にかかる箱体を形成できる。図４は、駆体の壁面に収納用の箱体Ｂを形成した状態を示す概略構成図である。図４から明らかなように、石膏ボード等脆くてビス固定できないボード６を本発明のボード結合金具Ａを用いることによって周囲が補強され、簡単に、かつ、強度の大きな箱体Ｂとすることができる。
【図面の簡単な説明】
【００１６】
【図１】第１発明にかかるボード結合金具を示す斜視図である。
【図２】第１発明にかかるボード結合金具を対として用い、各固定部を並列に配設した状態を示す一部断面斜視図である。
【図３】第１発明にかかるボード結合金具を対として用い、各固定部を直角に配設した状態を示す一部断面斜視図である。
【図４】第２発明にかかる箱体を示す概略構成図である。
【符号の説明】
【００１７】
Ａ          第１発明にかかるボード結合金具
Ａ１        相互に直角に配設されたときの上記ボード結合金具
Ａ２        相互に直角に配設されたときの他の上記ボード結合金具
Ｂ          第２発明にかかる箱体
１          ボード嵌入溝部
１１        ボード押圧片
２          固定部
２１        第１固定片
２２        第２固定片
３          第１固定用ビス孔
３１        第１固定用ビス
４          第２固定用ビス孔
４１        第２固定用ビス
５          駆体
６          ボード
【図１】
2006322144.tif 000003
【図２】
2006322144.tif 000004
【図３】
2006322144.tif 000005
【図４】
2006322144.tif 000006